(57)【要約】【課題】  ネットワーク設定を容易に行うことができる投写型映像表示装置を提供する。【解決手段】  ネットワーク接続機能を有した投写型映像表示装置において、ネットワーク接続に必要な設定情報が記憶された外部記憶媒体を読み出し可能に接続する接続手段と、この接続手段に接続された外部記憶媒体から前記設定情報を読み出してネットワーク設定を行う制御手段とを備えた。また、接続手段としてＵＳＢコネクタを有する。さらに、設定情報はテキストファイルから成る設定ファイルに記述されている。【選択図】        図６
2009093111.tif 000002
【特許請求の範囲】
【請求項１】
ネットワーク接続機能を有した投写型映像表示装置において、
前記ネットワーク接続に必要な設定情報が記憶された外部記憶媒体を読み出し可能に接続する接続手段と、この接続手段に接続された外部記憶媒体から前記設定情報を読み出してネットワーク設定を行う制御手段とを備えたことを特徴とする投写型映像表示装置。
【請求項２】
前記接続手段としてＵＳＢコネクタを有することを特徴とする請求項１記載の投写型映像表示装置。
【請求項３】
前記設定情報はテキストファイルから成る設定ファイルに記述されていることを特徴とする請求項１又は請求項２記載の投写型映像表示装置。
【発明の詳細な説明】
【技術分野】
【０００１】
本願発明は、ネットワーク接続機能を有した液晶プロジェクタ等の投写型映像表示装置に関するものである。
【背景技術】
【０００２】
液晶プロジェクタ等の投写型映像表示装置においては、従来より、無線ＬＡＮ（ローカルエリアネットワーク）やインターネットなどとのネットワーク接続機能を有したものが知られている。
【０００３】
特許文献１には、予めサーバに蓄積された画像をネットワークを介して複数のプロジェクタに投影する技術が開示されている。
【特許文献１】特開２００２−１０８３２２号公報
【発明の開示】
【発明が解決しようとする課題】
【０００４】
しかしながら、この種のプロジェクタ（上記特許文献１の場合は画像補正装置）をネットワークに接続する場合も、予めＩＰ（Internet Protocol）アドレス情報や無線接続の場合には更にＳＳＩＤ（Service Set Identifier）やセキュリティ情報等を設定しなければならないが、プロジェクタにはキーボードがなく、リモコンのテンキー等を用いたスクリーン上のＧＵＩ（Graphical User Interface）だけで、ネットワーク設定は容易に設定できるものではなかった。
【０００５】
そこで、本願発明はこのような課題を解決するためになされたものであり、ネットワーク設定を容易に行うことができる投写型映像表示装置を提供することを目的とするものである。
【課題を解決するための手段】
【０００６】
上記のような目的を達成するために、本願の請求項１に係る発明は、ネットワーク接続機能を有した投写型映像表示装置において、前記ネットワーク接続に必要な設定情報が記憶された外部記憶媒体を読み出し可能に接続する接続手段と、この接続手段に接続された外部記憶媒体から前記設定情報を読み出してネットワーク設定を行う制御手段とを備えたことを特徴とするものである。
【０００７】
請求項２に係る発明は、前記接続手段としてＵＳＢコネクタを有することを特徴とするものである。
【０００８】
請求項３に係る発明は、前記設定情報はテキストファイルから成る設定ファイルに記述されていることを特徴とするものである。
【発明の効果】
【０００９】
本願発明の請求項１記載の発明によれば、ネットワーク接続に必要な設定情報が記憶された外部記憶媒体を接続手段に接続すれば、制御手段が接続手段に接続された外部記憶媒体から設定情報を読み出してネットワーク設定を行うので、ネットワーク設定を容易に行うことができる投写型映像表示装置を実現できる。
【００１０】
請求項２記載の発明によれば、接続手段としてＵＳＢコネクタを有するものであるから、新たに専用の接続手段を設けることなく、汎用のＵＳＢコネクタを用いてネットワーク設定を低コストで容易に行うことができる。
【００１１】
請求項３記載の発明によれば、設定情報はテキストファイルから成る設定ファイルに記述されているので、どのようなＰＣ（パーソナルコンピュータ）でも簡単なテキストエディタを用いて設定ファイルを容易に編集することができる。
【発明を実施するための最良の形態】
【００１２】
以下、本願発明の実施形態を図面を参照して詳細に説明する。
【００１３】
図１は、本願発明に係る投写型映像表示装置を用いた投写型映像表示システムの一例の概略構成を示すシステム構成図である。
【００１４】
この投写型映像表示システムは、小型で汎用の情報処理装置として広く普及しているＰＣ（Personal Computer）１と、無線ＬＡＮ（Local Area Network）等のネットワーク２を介して上記ＰＣ１に接続可能な投写型映像表示装置としての液晶プロジェクタ３とから構成されている。
【００１５】
図２は、上記ＰＣ１の主に投写型映像表示システムに係る構成を示すブロック図である。ＰＣ１は、当該ＰＣ１全体を制御するＣＰＵ（Central Processing Unit）１１と、このＣＰＵ１１とバス１２を介して接続されたＨＤＤ（Hard Disk Drive）１３、ＲＡＭ（Random-Access Memory）１４、液晶ディスプレイ１５、ネットワーク通信部１６等から構成されている。
【００１６】
上記ＨＤＤ１３には、ＯＳ(Operating System)や各種アプリケーションソフト等のＣＰＵ１１が実行するプログラムなどが格納されている。また、上記ＲＡＭ１４は、ＣＰＵ１１のプログラム実行時の作業ＲＡＭとして用いられると共に、上記液晶ディスプレイ１５上の表示画像をキャプチャしたキャプチャデータの格納エリアとしても用いられる。また、ネットワーク通信部１６は、このＰＣ１を無線ＬＡＮ等のネットワーク２に接続してネットワーク通信を可能とするものである。
【００１７】
図３は、前記液晶プロジェクタ３の主に投写型映像表示システムに係る構成を示すブロック図、図４は本願発明の特徴を模式的に示した外観斜視図である。
【００１８】
図３に示すように、液晶プロジェクタ３は、当該液晶プロジェクタ３全体を制御すると共に本願発明に係る制御手段を後述するフローチャートで示す処理を実行することにより実現するＣＰＵ３１と、このＣＰＵ３１とバス３２を介して接続されたＲＯＭ（Read-Only Memory）３３、ＲＡＭ３４、ＵＳＢ（Universal Serial Bus）コネクタ３５、電源制御回路３６、ネットワーク通信部３７、液晶パネル３８等から構成されている。
【００１９】
上記ＲＯＭ３３には、ＣＰＵ３１が実行するプログラムやネットワーク接続に必要なＩＰアドレス情報などのネットワーク設定データ等が格納される。なお、ネットワーク設定データは、接続しようとするネットワークに応じてプロジェクタ設置時に設定されるため、その格納領域は電気的に書き換え可能なＥＥＰＲＯＭ（Electronically Erasable and Programmable Read-Only Memory）等に設けられている。また、上記ＲＡＭ３４は、ＣＰＵ３１のプログラム実行時の作業ＲＡＭとして用いられると共に、前記ＰＣ１等からの画像データを描画用に格納する描画用ＲＡＭとしても用いられる。ＵＳＢコネクタ３５は、ＵＳＢメモリ等の各種周辺機器を接続可能な汎用の接続手段である。電源制御回路３６は、電源の投入／停止や装置各部への電力供給を制御するものである。ネットワーク通信部３７は、この液晶プロジェクタ３を無線ＬＡＮ等のネットワーク２に接続してネットワーク通信を可能とするものである。液晶パネル３８は、図示しない光学系に光変調素子として配置されて、前記ＲＡＭ３４の描画用ＲＡＭから読み出された画像データに基づき投写用画像が表示されるものである。
【００２０】
本実施形態においては、図４に示すように、予め、フラッシュメモリから成るＵＳＢメモリ等の外部記憶媒体４に、ネットワーク接続に必要な設定情報（ＩＰアドレスや無線接続の場合はＳＳＩＤやセキュリティ情報など）を所定のファイル名（ここではNetwork.cfg）の設定ファイルに所定のフォーマットに基づいて編集して書き込み、プロジェクタ３の上述したＵＳＢコネクタ３５等に挿入する。
【００２１】
図５は、上記設定ファイル（Network.cfg）のファイルフォーマット例を示す図で、上述したようなネットワーク接続に必要な設定情報をテキストファイル形式で記述するようになっている。このように、ネットワーク設定情報をテキストファイルから成る設定ファイルに記述するようにすれば、どのようなＰＣでも簡単なテキストエディタを用いて設定ファイルを容易に編集することができるようになる。
【００２２】
図６は、上記プロジェクタ３の本願発明に係る動作を示すフローチャートであり、ＣＰＵ３１により実行される。
【００２３】
プロジェクタ３に電源が投入されると、まず外部記憶媒体４が挿入されているか否かを確認する（ステップＳ１０１）。ここで、外部記憶媒体４が挿入されていない場合は、ステップＳ１０４に移行してプロジェクタ３を起動させ通常動作とする。
【００２４】
外部記憶媒体４が挿入されている場合は、所定のネットワーク設定ファイル（Network.cfg）が外部記憶媒体４に記憶されているか否かを確認するためファイル検索を行う（ステップＳ１０１のＹ→ステップＳ１０２）。ここで、所定のネットワーク設定ファイル（Network.cfg）が検索できなかった場合は、ステップＳ１０４に移行してプロジェクタ３を起動させ通常動作とする。
【００２５】
一方、所定のネットワーク設定ファイル（Network.cfg）が検索できた場合は、プロジェクタ３への各種ネットワーク設定情報をネットワーク設定ファイル（Network.cfg）から読み出して、前述したＲＯＭ３３の電気的に書き換え可能な領域に設定し（ステップＳ１０２のＹ→ステップＳ１０３）、その後ステップＳ１０４でプロジェクタ３を起動させ通常動作とする。これにより、無線ＬＡＮ等のネットワーク２に接続してＰＣ１などとのネットワーク通信が可能となる。
【００２６】
以上のように、本実施形態によれば、キーボードがなく、リモコンのテンキー等を用いたスクリーン上のＧＵＩだけでネットワーク設定が煩わしいプロジェクタ３においても、簡単にネットワーク設定を行うことが可能となる。また、プロジェクタを複数同時に設置するような環境においても、ネットワーク設定ファイルをそれぞれ用意しておくことで簡単にネットワーク設定を行うことができ、複数同時設置時の設置性の向上にも貢献できる。
【００２７】
また、外部記憶媒体４の接続手段としてＵＳＢコネクタ３５を有するものであるから、新たに専用の接続手段を設けることなく、汎用のＵＳＢコネクタ３５を用いてネットワーク設定を低コストで容易に行うことができる。
【００２８】
なお、上記実施形態では、投写型映像表示装置として光変調素子に液晶パネルを用いた液晶プロジェクタを示したが、他の映像光生成系を備える投写型映像表示装置においても本願発明を適用することができる。すなわち、ＤＬＰ（Digital Light Processing；テキサス・インスツルメンツ（TI）社の登録商標）方式等のプロジェクタにおいても本願発明を適用することができる。また、前面投写型の他、背面投写型映像表示装置においても本願発明を適用することができる。
【図面の簡単な説明】
【００２９】
【図１】本願発明に係る投写型映像表示装置を用いた投写型映像表示システムの一例の概略構成を示すシステム構成図。
【図２】ＰＣの主に投写型映像表示システムに係る構成を示すブロック図。
【図３】液晶プロジェクタの主に投写型映像表示システムに係る構成を示すブロック図。
【図４】本願発明の特徴を模式的に示した外観斜視図。
【図５】ネットワーク設定ファイルのファイルフォーマット例を示す図。
【図６】上記液晶プロジェクタの本願発明に係る動作を示すフローチャート。
【符号の説明】
【００３０】
１  ＰＣ
２  ネットワーク
３  液晶プロジェクタ
３１  ＣＰＵ
３２  バス
３３  ＲＯＭ
３４  ＲＡＭ
３５  ＵＳＢコネクタ
３６  電源制御回路
３７  ネットワーク通信部
３８  液晶パネル
４  外部記憶媒体
【図２】
2009093111.tif 000003
【図３】
2009093111.tif 000004
【図５】
2009093111.tif 000005
【図６】
2009093111.tif 000006
【図１】
2009093111.tif 000007
【図４】
2009093111.tif 000008